【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
情報処理装置であって、
第1の通信範囲で通信可能な第１の通信手段と、
前記第1の通信範囲より狭い第２の通信範囲で通信可能な第2の通信手段と、
前記情報処理装置の使用を許可するか否かの判定を行う判定手段であって、前記情報処理装置を使用するための要求を行ったユーザに対応する通信装置との間で、前記第１の通信手段が通信を確立中に前記第２の通信手段が通信を確立した場合、前記情報処理装置の使用を許可すると判定する判定手段とを有することを特徴とする情報処理装置。
【請求項２】
前記判定手段は、前記情報処理装置を使用するための要求の受信順に並べられた順番待ちリストに基づいて、前記情報処理装置の使用を許可するか否かの判定を行い、
前記第１の通信手段が通信を確立中に前記第２の通信手段が通信を確立した場合であって、かつ、該通信を確立した通信装置の識別情報が前記順番待ちリストの先頭に登録されている識別情報と一致する場合、前記判定手段は該通信を確立した通信装置のユーザに対し、前記情報処理装置の使用を許可すると判定することを特徴とする請求項１に記載の情報処理装置。
【請求項３】
前記第２の通信手段は前記要求とともに該要求を送信した通信装置の識別情報を受信し、前記第１の通信手段が該要求を送信した通信装置との間で通信を確立した場合に、前記第2の通信手段により受信された前記識別情報が前記順番待ちリストの最後尾に追加されることを特徴とする請求項２に記載の情報処理装置。
【請求項４】
前記第１の通信範囲よりも広い第３の通信範囲で通信可能な第３の通信手段を更に備え、
前記第３の通信手段が前記要求とともに該要求を送信した通信装置の識別情報を受信し、前記第１の通信手段が該要求を送信した通信装置との間で通信を確立した場合に、前記第3の通信手段により受信された前記識別情報が前記順番待ちリストの最後尾に追加されることを特徴とする請求項２に記載の情報処理装置。
【請求項５】
前記第１の通信範囲よりも広い第3の通信範囲で通信可能な第3の通信手段を更に備え、
前記第２の通信手段が前記要求とともに該要求を他の情報処理装置を経由して送信した通信装置の識別情報と該他の情報処理装置で使用されるデータを受信し、前記第１の通信手段が該要求を送信した通信装置との間で通信を確立した場合に、前記第３の通信手段により受信された前記識別情報が前記順番待ちリストの最後尾に追加されることを特徴とする請求項２に記載の情報処理装置。
【請求項６】
前記第２の通信手段は、同時に送信された前記要求と前記データを受信することを特徴とする請求項５に記載の情報処理装置。
【請求項７】
前記第１の通信範囲よりも広い第３の通信範囲で通信可能な第３の通信手段と、
前記第３の通信手段が前記要求を受信した場合に該要求を送信した通信装置の識別情報を生成する生成手段とを更に備え、
前記第１の通信手段が該要求を送信した通信装置との間で通信を確立した場合に、前記生成手段により生成された前記識別情報が前記順番待ちリストの最後尾に追加されることを特徴とする請求項２に記載の情報処理装置。
【請求項８】
前記第３の通信手段は、前記生成手段によって生成された前記識別情報を前記要求を送信した通信装置に送信することを特徴とする請求項７に記載の情報処理装置。
【請求項９】
前記第２の通信範囲で通信可能な第２の他の通信手段を更に備え、
前記第２の他の通信手段は前記要求とともに該要求を送信した通信装置の識別情報を受信し、前記第１の通信手段が該要求を送信した通信装置との間で通信を確立した場合に、前記第２の通信手段により受信された前記識別情報が前記順番待ちリストの最後尾に追加されることを特徴とする請求項２に記載の情報処理装置。
【請求項１０】
前記第２の通信範囲と同じ通信範囲で通信可能な第4の通信手段を更に備え、
前記第４の通信手段は、前記要求とともに該要求を送信した通信装置の識別情報を受信し、前記第１の通信手段が該要求を送信した通信装置との間で通信を確立した場合に、前記第４の通信手段により受信された前記識別情報が前記順番待ちリストの最後尾に追加されることを特徴とする請求項２に記載の情報処理装置。
【請求項１１】
前記要求を行ったユーザが所持する通信装置との間で、前記第１の通信手段が通信を確立中に前記第２の通信手段が通信を確立した場合、前記第２の通信手段は該通信を確立した通信装置が保持する識別情報を取得することを特徴とする請求項２乃至１０の何れか１項に記載の情報処理装置。
【請求項１２】
前記判定手段は、前記順番待ちリストの先頭に登録されている識別情報と、前記第２の通信手段が取得した前記識別情報が一致した場合に、前記通信を確立した通信装置のユーザに対して前記情報処理装置の使用を許可すると判定することを特徴とする請求項１１に記載の情報処理装置。
【請求項１３】
前記判定手段は、前記順番待ちリストの先頭に登録されている識別情報と、前記第２の通信手段が取得した前記識別情報が一致しない場合であって、かつ、前記第１の通信手段が前記順番待ちリストの先頭に登録されている識別情報を所持する通信装置と通信を確立していない場合、前記通信を確立した通信装置の識別情報を前記順番待ちリストの先頭に登録することを特徴とする請求項１１に記載の情報処理装置。
【請求項１４】
前記第１の通信手段が前記順番待ちリストに登録されている識別情報に対応する通信装置との通信を切った場合、前記判定手段は、該通信が切れた通信装置の識別情報を前記順番待ちリストから削除することを特徴とする請求項１１に記載の情報処理装置。
【請求項１５】
前記第１の通信手段が前記順番待ちリストに登録されている識別情報に対応する通信装置との通信を切ってから一定時間経過した場合、前記判定手段は、該通信が切れた通信装置の識別情報を前記順番待ちリストから削除することを特徴とする請求項１１に記載の情報処理装置。
【請求項１６】
前記判定手段が前記通信装置のユーザに対して前記情報処理装置の使用を許可すると判定した場合、前記情報処理装置の使用を許可することを通知することを特徴とする請求項２乃至１２の何れか１項に記載の情報処理装置。
【請求項１７】
前記判定手段が前記通信装置のユーザに対して前記情報処理装置の使用を許可すると判定した場合、前記情報処理装置の使用を許可することを通知するユーザインタフェースを更に備えることを特徴とする請求項２乃至１２の何れか1項に記載の情報処理装置。
【請求項１８】
前記順番待ちリストに登録されている識別情報に対応する通信装置に、現在のステータスの情報を通知することを特徴とする請求項２乃至１７の何れか１項に記載の情報処理装置。
【請求項１９】
前記順番待ちリストには識別情報と前記通信装置に固定に割り当てたIPアドレスが対応付けられて登録されていることを特徴とする請求項２乃至１８の何れか１項に記載の情報処理装置。
【請求項２０】
前記順番待ちリストには識別情報と前記通信装置から受信したMAC Addressが対応付けられて登録されていることを特徴とする請求項２乃至１８の何れか１項に記載の情報処理装置。
【請求項２１】
情報処理装置の制御方法であって、
第１の通信範囲で通信可能な第１の通信手段と、
前記第１の通信範囲より狭い第２の通信範囲で通信可能な第２の通信手段と、を有し、
前記情報処理装置の使用を許可するか否かの判定を行う工程であって、前記情報処理装置を使用するための要求を行ったユーザに対応する通信装置との間で、前記第１の通信手段が通信を確立中に前記第２の通信手段が通信を確立した場合、前記情報処理装置の使用を許可すると判定する工程を有することを特徴とする情報処理装置の制御方法。
【請求項２２】
請求項1乃至請求項２０のいずれか１項に記載の情報処理装置としてコンピュータを機能させることを特徴とするプログラム。
【手続補正２】
【補正対象書類名】明細書
【補正対象項目名】発明の名称
【補正方法】変更
【補正の内容】
【発明の名称】情報処理装置、その制御方法及びプログラム
【手続補正３】
【補正対象書類名】明細書
【補正対象項目名】０００８
【補正方法】変更
【補正の内容】
【０００８】
上記目的を達成するための一手段として、本発明の情報処理装置は以下の構成を備える。すなわち、第1の通信範囲で通信可能な第1の通信手段と、前記第1の通信範囲より狭い第２の通信範囲で通信可能な第2の通信手段と、前記情報処理装置の使用を許可するか否かの判定を行う判定手段であって、前記情報処理装置を使用するための要求を行ったユーザに対応する通信装置との間で、前記第１の通信手段が通信を確立中に前記第２の通信手段が通信を確立した場合、前記情報処理装置の使用を許可すると判定する判定手段とを有することを特徴とする。